(57)【特許請求の範囲】
【請求項１】
傾斜角度を検出する傾斜スイッチと、前記傾斜スイッチの設置角度を補正するホルダーと、前記傾斜スイッチと前記ホルダーを固定するプリント基板とを備え、前記ホルダーは前記傾斜スイッチの接点端子が貫通する開口部を有し、前記傾斜スイッチの前記接点端子は前記開口部を貫通させて前記プリント基板に固定することにより、前記傾斜スイッチと前記ホルダーを前記プリント基板に取り付けた傾斜検出装置。
【請求項２】
前記ホルダーは前記傾斜スイッチの設置角度を水平もしくは垂直せしめることを特徴とした請求項１に記載の傾斜検出装置。
【請求項３】
前記ホルダーは前記傾斜スイッチと密接せしめる突起を備えてなる請求項１又は２に記載の傾斜検出装置。
【請求項４】
前記ホルダーは前記傾斜スイッチの上面を保持し密接せしめる突起を備えてなる請求項３に記載の傾斜検出装置。
【請求項５】
前記ホルダーは前記傾斜スイッチの側面を圧入し密接せしめる突起を備えてなる請求項３に記載の傾斜検出装置。
【請求項６】
前記傾斜スイッチあるいは前記ホルダーのいずれか一方に別の開口部を有し、前記傾斜スイッチあるいは前記ホルダーの他方の前記別の開口部へ密接せしめる突起を備えてなる請求項１または２に記載の傾斜検出装置。
【請求項７】
前記ホルダーは前記プリント基板と密接せしめる突起を備えてなる請求項１〜６のいずれか１項に記載の傾斜検出装置。
【請求項８】
前記ホルダーは前記プリント基板の下面を保持し密接せしめる突起を備えてなる請求項７に記載の傾斜検出装置。
【請求項９】
前記ホルダーは前記プリント基板の開口部に挿入し密接せしめる突起を備えてなる請求項７に記載の傾斜検出装置。
【発明の詳細な説明】
【０００１】
【発明の属する技術分野】
本発明は、製品の傾斜度合いを検出する傾斜検出装置に関するものである。
【０００２】
【従来の技術】
従来のこの種の傾斜検出装置（以後、傾斜スイッチと称する）は、ガスや石油、電気の暖房機器などに用いられ、地震や外部衝撃などで暖房機器の傾斜・転倒を検出し、ガスや灯油の燃焼を停止したり、ヒータへの通電を停止するものであった。図８に示すように、バネ圧式傾斜スイッチ１は、暖房機器などの製品の底面部に設置され、製品重量で内部のバネを押圧して接点を短絡し、製品が傾斜・転倒した時は、バネ圧式傾斜スイッチ１へ製品重量がかからなくなり、内部バネの押圧がなくなることで接点が開放するものであった。バネ圧式傾斜スイッチ１が開放状態となるとヒータなどの製品負荷２への通電経路を遮断し、通電が停止されるものであった。
【０００３】
しかしながら、製品の傾斜・転倒状態として、室内壁面３へ製品底面を押しつけられるような状態の場合は、転倒しているにもかかわらず転倒を検出できない状態があり、危険状態を回避できない場合もあった。また、バネ圧式傾斜スイッチ１の接点で直接燃焼装置やヒータ等の製品負荷２の通電経路を遮断する構成ではバネ圧式傾斜スイッチ１自身に商用電源が印加されることとなり、更に傾斜スイッチ１の接点にはヒータなどの大電流が流れるため、接点間の絶縁や製品負荷との接続での信頼性を確保する対応などバネ圧式傾斜スイッチ１の構成が複雑なものであった。
【０００４】
また、近年では、小電力化された傾斜スイッチが開発され、傾斜スイッチの信号をマイクロコンピュータ（図示せず）へ入力し、製品の転倒状態を検出する手法が主流となってきている。小電力傾斜スイッチ４について図９を用いて説明する。小電力傾斜スイッチ４は概して製品内部のプリント基板５上に設置されることが多く、内部に水銀や球状導電体６を有しており、内部の水銀や球状導電体６が重力により内部接点７間に移動することで導通状態となり、製品が傾いている場合は球状導電体６が内部接点７と接触しなくなり、導通経路が遮断されて傾きを検出するものであった。
【０００５】
また、図１０のように内部に非導電体を有している第二の小電力傾斜スイッチ８は、球状非導電体９の重力により機械的に押圧部１０を押し下げ、可動接点１１の一方を押し、固定接点１２と導通させる。傾いている場合は球状非導電体９が押圧部１０を押し下げなくなり、ばね性を持った可動接点１１が固定接点１２と開放され、導通経路が遮断されて傾きを検出するものであった。
【０００６】
傾斜度合いの検出としては、いずれの傾斜スイッチも内部の接点が水平もしくは垂直から±４５°以上傾斜している場合は傾斜であると検出し、水平もしくは垂直から±３０°以内であれば傾斜していないと検出するものが多い。水平もしくは垂直から±３０°〜±４５°の範囲では内部の水銀や球状導電体６、球状非導電体９が内部接点をＯＮ／ＯＦＦしないように角度的なヒステリシスが設けられている。
【０００７】
水銀や球状導電体６、球状非導電体９の内部壁面１３は円錐状をしており、傾斜スイッチの全周に渡り、傾斜度合いの検出が可能となっている。製品内部にプリント基板５が水平設置の状態で取り付けられている場合は、傾斜スイッチ４、８の内部接点７、１１、１２を内部の水銀や球状導電体６、球状非導電体９の重力方向の延長線上に引き出す構成となっている。また製品内部にプリント基板５が垂直設置の状態で取り付けられている場合は、傾斜スイッチ４、８の内部接点７、１１、１２を内部の水銀や球状導電体６、球状非導電体９の重力方向の直交方向に引き出す構成となっている。
【０００８】
更に、地球環境の保護が叫ばれている昨今では内部の導電体に水銀を用いることは少なくなってきており、内部の導電体としては球状や半球状の導電体が多くなってきている。
【０００９】
【発明が解決する課題】
しかしながら、前記従来の構成では傾斜スイッチ４、８が設置されているプリント基板
５が水平または垂直方向に設置されている場合には傾斜スイッチ４、８の傾斜度合いを検出する性能（例えば水平もしくは垂直から±４５°以上傾斜している場合は傾斜であると検出し、水平もしくは垂直から±３０°以内であれば傾斜していないと検出する性能）で傾斜を検出するが、プリント基板５が水平または垂直から傾いている場合は傾斜スイッチ４、８自体の性能からプリント基板５が傾いている角度を差し引いた角度が製品の傾き度合いを検出する角度となる。
【００１０】
具体的には、プリント基板５が水平もしくは垂直から１０°傾いて設置されており、傾斜スイッチ４、８がプリント基板５に密接されている場合は、製品が傾斜していると検出する角度としては傾斜スイッチ４、８の傾斜検出角度±４５°からプリント基板５の傾き１０°を差し引いた＋３５°、−５５°の範囲となる。
【００１１】
同様に傾斜していないと検出する角度としては傾斜スイッチ４、８の水平もくしは垂直を検出する角度±３０°からプリント基板５の傾き１０°を差し引いた＋２０°、−４０°の範囲となる。
【００１２】
これは、製品が水平状態で設置されているにもかかわらず製品内部のプリント基板５の設置状態（水平もしくは垂直から１０°傾いて設置されている状態）により、傾斜スイッチ４、８の検出角度が変わってしまい、製品が傾いていないのにもかかわらず傾いていると誤検出する、もしくは、製品が傾いているにもかかわらず傾いていないと誤検出してしまうこととなる。使用者にとっては製品を使用中に突然ヒータ等の製品負荷２が停止となり使い勝手が悪い。
【００１３】
また反対に製品が傾いている場合や製品が転倒している場合に、製品が傾いていることを検出できずにヒータ等の製品負荷２への通電を行ってしまうという不具合がある。
【００１４】
本発明は、前記従来の課題を解決するもので、傾斜スイッチや傾斜スイッチが設置されているプリント基板が水平もしくは垂直に設置されていない場合でも、正確に水平もしくは垂直状態を検出し、使い勝手が良く、誤検出のない傾斜スイッチを提供することを目的とする。
【００１５】
【課題を解決するための手段】
前記従来の課題を解決するために、本発明の傾斜検出装置は、傾斜スイッチの設置角度を補正するホルダーを設けたものである。傾斜スイッチを設置しているプリント基板が製品内部で傾いて設置されたとしても、ホルダーによって傾斜スイッチを水平状態や垂直状態とすることで、傾斜スイッチ自体の傾斜検出性能を確保するものである。
【００１６】
【発明の実施の形態】
請求項１に記載の発明は、傾斜角度を検出する傾斜スイッチと、前記傾斜スイッチの設置角度を補正するホルダー、前記傾斜スイッチと前記ホルダーを固定するプリント基板とを備え、前記ホルダーは前記傾斜スイッチの接点端子が貫通する開口部を有し、前記傾斜スイッチの前記接点端子は前記開口部を貫通させて前記プリント基板に固定することにより、前記傾斜スイッチと前記ホルダーを前記プリント基板に取り付けたことにより、傾斜スイッチを設置しているプリント基板や傾斜スイッチそのものが傾いて設置されたとしてもホルダーによって、傾斜検出角度を補正するものである。汎用の傾斜スイッチ以外の検出角度を検出することができ、より使用状態に即した傾き状態の検出を行うことができる。また、プリント基板の配置を水平や垂直としなくても傾斜スイッチで正確に傾斜度合いを検出できるため、プリント基板としての形状の最適化が図れ、製品の小型・軽量化という社会的要請に応えることができる。
【００１７】
請求項２に記載の発明は、ホルダーにて傾斜スイッチの設置角度を水平もしくは垂直せしめることで、傾斜スイッチや傾斜スイッチが設置されているプリント基板が水平もしくは垂直に設置されていない場合でも、正確に水平もしくは垂直状態や傾き度合いを検出することができ、使い勝手が良く、誤検出のない傾斜検出装置を提供することができる。
【００１８】
請求項３に記載の発明は、ホルダーに傾斜スイッチと密接せしめる突起を備えることで、ホルダーと傾斜スイッチを隙間なく接することができ、傾斜スイッチの検出角度の補正に際してホルダーと傾斜スイッチ間での勘合ズレなどによる傾斜検出性能の低下を防止することができる。
【００１９】
請求項４に記載の発明は、ホルダーに傾斜スイッチの上面を保持し密接せしめる突起を備えることで、傾斜スイッチの上面をホルダーに押しつけ、傾斜スイッチとホルダーを隙間なく接することができ、傾斜スイッチの検出角度の補正に際して、ホルダーと傾斜スイッチ間での勘合ズレなどによる傾斜検出性能の低下を防止することができる。
【００２０】
請求項５に記載の発明は、ホルダーに傾斜スイッチの側面を圧入し密接せしめる突起を備えることで、傾斜スイッチの側面とホルダーの突起間で傾斜スイッチとホルダーを隙間なく接することができ、傾斜スイッチの検出角度の補正に際して、ホルダーと傾斜スイッチ間での勘合ズレなどによる傾斜検出性能の低下を防止することができる。
【００２１】
請求項６に記載の発明は、傾斜スイッチあるいはホルダーのいずれか一方に別の開口部を設け、傾斜スイッチ、あるいは、ホルダーの他方の別の開口部へ密接せしめる突起を備えることで、ホルダーに傾斜スイッチを固定する際に一方の開口部に他方の突起を挿入して傾斜スイッチとホルダーを隙間なく接することができ、傾斜スイッチの検出角度の補正に際して、ホルダーと傾斜スイッチ間での勘合ズレなどによる傾斜検出性能の低下を防止することができる。
【００２２】
請求項７に記載の発明は、ホルダーはプリント基板と密接せしめる突起を備えることでホルダーとプリント基板を隙間なく接することができ、ホルダーに密接されている傾斜スイッチの検出角度の補正に際してホルダーとプリント基板間での勘合ズレなどによる傾斜検出性能の低下を防止することができる。
【００２３】
請求項８に記載の発明は、ホルダーにプリント基板の下面を保持し密接せしめる突起を備えることで、プリント基板へホルダーを挿入する際に、ホルダーの突起部分をプリント基板の下面へ引っかけるなどの保持を行いホルダーとプリント基板間での勘合ズレを無くす。これにより、ホルダーに密接されている傾斜スイッチの検出角度の補正に際してホルダーとプリント基板間での勘合ズレなどによる傾斜検出性能の低下を防止することができる。
【００２４】
請求項９に記載の発明は、ホルダーにプリント基板の開口部に挿入し密接せしめる突起を備えることでホルダーをプリント基板に挿入しプリント基板の開口部側面とホルダーの突起部側面間でプリント基板とホルダーを隙間なく接しさせる。これにより、ホルダーに密接されている傾斜スイッチの検出角度の補正に際してホルダーとプリント基板間での勘合ズレなどによる傾斜検出性能の低下を防止することができる。
【００２５】
【実施例】
以下、本発明の実施例について、図１〜図８を参照しながら説明する。
【００２６】
（実施例１、２）
図１、２は、本発明の第１、第２の実施例における傾斜検出装置の外観図を示すもので
ある。図１において１４は傾斜スイッチ、１５は傾斜スイッチの検出角度を補正するホルダー、５は製品内部に設置され傾斜スイッチ１４にて傾き度合いを検出されるプリント基板である。本実施例の傾斜スイッチ１４は内部の球状導電体（図示せず）の重力方向の延長線上に接点端子１６が引き出され、傾斜スイッチ１４が水平に設置されている状態を検出するタイプの傾斜スイッチである。具体的な検出角度としては、水平もしくは垂直から±４５°以上傾斜している場合は傾斜であると検出し、水平もしくは垂直から±３０°以内であれば傾斜していないと検出するものである。
【００２７】
また、ホルダー１５は傾斜スイッチ１４の接点端子１６が貫通する開口部を有しており、ホルダー１５の傾斜スイッチ１４側の勘合面は、傾斜スイッチ１４の勘合面の形状に沿わせた形状とし、傾斜スイッチ１４とホルダー１５の勘合において検出角度に影響のない形状としている。また、ホルダー１５のプリント基板５側の勘合面は、使用する傾斜スイッチ１４の検出角度を補正する角度を有して傾斜している。
【００２８】
具体的例として一つの方向に限定して、製品の傾斜度合いが２５°傾いたときに検出する場合について説明する。この時、ホルダー１５のプリント基板５側勘合面の角度として、傾斜スイッチ１４の検出角度である４５°から、検出したい製品傾斜度合いの２５°を差し引いた２０°傾斜させればよいこととなる。これにより製品が水平状態に設置されている時には、傾斜スイッチ１４自体は水平より２０°傾いて取り付けられていることとなる。製品が２５°傾いた時点で傾斜スイッチ１４の傾斜検出角度である４５°となるため、製品の傾斜状態を検出することができる。
【００２９】
また、本発明の実施例２である傾斜スイッチ１４を水平状態に補正するホルダー１５については、ホルダー１５のプリント基板５側勘合面を、プリント基板５の製品内部での設置角度を解消するべくプリント基板５の製品内部での設置角度と同程度の角度（α°）傾斜させている。このとき製品が地震や使用者の移動などでの外的要因により水平状態ではなくなったとき、傾斜スイッチ１４自体も製品の傾き度合いと同程度の傾き状態となるため、製品が傾斜したか否かの検出を行うことができる。
【００３０】
以上のように構成されたホルダー１５において、このホルダー１５の形状を水平よりある角度で傾かせることにより、傾斜スイッチ１４の検出角度に因らず製品の傾斜度合いを検出することができる。
【００３１】
なお、プリント基板５が図２のように一方向のみならず二方向（β°、γ°）に傾いて設置されている場合でもホルダー１５の形状を傾斜スイッチ１４が水平を保つ角度（β°、γ°）に形成することで、傾斜スイッチ１４にて正確な傾斜度合いの検出を行うことができる。
【００３２】
更に、プリント基板５が垂直状態で設置され、傾斜スイッチ１４が垂直状態を検出する形状のものであっても、ホルダー１５の形状を傾斜スイッチ１４の設置状態を垂直とするような形状とすることで上記効果を得ることができる。
【００３３】
（実施例３、４）
図３は、本発明の第３、第４の実施例における傾斜検出装置の外観図を示すものである。図中の符号が同一のものについては説明を省略する。
【００３４】
本実施例においてはホルダー１５には傾斜スイッチ１４の上面を保持するべく突起部１７を設け、傾斜スイッチ１４とホルダー１５が密接するように構成されている。ホルダー１５は傾斜スイッチ１４の接点端子１６が貫通する開口部を有しており、ホルダー１５の傾斜スイッチ１４側の勘合面は、傾斜スイッチ１４の勘合面の形状に沿わせた形状とし、傾斜スイッチ１４とホルダー１５の勘合において検出角度に影響のない形状としている。また、ホルダー１５のプリント基板５側勘合面は、プリント基板５の製品内部での設置角度を解消するべくプリント基板５の製品内部での設置角度と同程度の角度傾斜させている。
【００３５】
傾斜スイッチ１４をホルダー１５に挿入する際は接点端子１６をホルダー１５の開口部へ挿入し、突起部１７を傾斜スイッチ１４の上面に引っかける。突起部１７の傾斜スイッチ１４上面との勘合部分は傾斜スイッチ１４の上面に沿った形状で、かつ、傾斜スイッチ１４から容易に脱却しない勘合面積としている（勘合部分はおおむね２ｍｍ四方以上としている）。傾斜スイッチ１４は突起部１７によって、ホルダー１５側に押しつけられ、また、接点端子１６と突起部１７によってホルダー１５から脱却することなく一体に構成される。傾斜スイッチ１４の接点端子１６はホルダー１５の下面（プリント基板５側）に突出し、傾斜スイッチ１４とホルダー１５が突起部１７によって一体構成された傾斜検出装置としてプリント基板５に取り付けられ、半田付け等の固定によりプリント基板５に密接させる。
【００３６】
以上のように構成されたホルダー１５において、製品が地震や使用者の移動などでの外的要因により水平状態ではなくなったとき、傾斜スイッチ１４自体も製品の傾き度合いと同程度の傾き状態となるため、製品が傾斜したか否かの検出を行うことができる。
【００３７】
なお、プリント基板５が一方向のみならず二方向に傾いて設置されている場合でもホルダー１５の形状を傾斜スイッチ１４が水平を保つ角度に形成することで、傾斜スイッチ１４にて正確な傾斜度合いの検出を行うことができる。
【００３８】
更に、プリント基板５が垂直状態で設置され、傾斜スイッチ１４が垂直状態を検出する形状のものであっても、ホルダー１５の形状を傾斜スイッチ１４の設置状態を垂直とするような形状とすることで上記効果を得ることができる。
【００３９】
本実施例では傾斜スイッチ１４上面を保持する単一の突起部１７として記載しているが、傾斜スイッチ１４の上面を保持しホルダー１５に密接できる複数の突起部であっても同様であることはいうまでもない。
【００４０】
（実施例５）
図４は、本発明の第５の実施例における傾斜検出装置の外観図を示すものである。図中の符号が同一のものについては説明を省略する。
【００４１】
本実施例においてはホルダー１５には傾斜スイッチ１４の側面を保持するべく側面保持部１８を設け、傾斜スイッチ１４とホルダー１５が密接するように構成されている。ホルダー１５は傾斜スイッチ１４の接点端子１６が貫通する開口部を有しており、ホルダー１５の傾斜スイッチ１４側の勘合面は、傾斜スイッチ１４の勘合面の形状に沿わせた形状とし、傾斜スイッチ１４とホルダー１５の勘合において検出角度に影響のない形状としている。また、ホルダー１５のプリント基板５側勘合面は、プリント基板５の製品内部での設置角度を解消するべくプリント基板５の製品内部での設置角度と同程度の角度傾斜させている。
【００４２】
ホルダー１５の側面保持部１８の突起部間隔は傾斜スイッチ１４の側面部とほぼ同程度、もしくは１ｍｍ程度小さくし、ホルダー１５の側面保持部１８の剛性で傾斜スイッチ１４を保持するように構成し、傾斜スイッチ１４をホルダー１５に挿入する際は接点端子１６をホルダー１５の開口部へ挿入し、側面保持部１８へ傾斜スイッチ１４の側面を圧入することで、ホルダー１５から傾斜スイッチ１４が脱却することなく一体構成となる。
【００４３】
傾斜スイッチ１４の接点端子１６はホルダー１５の下面（プリント基板５側）に突出し、傾斜スイッチ１４とホルダー１５が側面保持部１８によって一体構成された傾斜検出装置としてプリント基板５に取り付けられ、半田付け等の固定によりプリント基板５に密接させる。
【００４４】
以上のように構成されたホルダー１５において、製品が地震や使用者による移動などでの外的要因により水平状態ではなくなったとき、傾斜スイッチ１４自体も製品の傾き度合いと同程度の傾き状態となるため、製品が傾斜したか否かの検出を行うことができる。
【００４５】
なお、プリント基板５が一方向のみならず二方向に傾いて設置されている場合でもホルダー１５の形状を傾斜スイッチ１４が水平を保つ角度に形成することで、傾斜スイッチ１４にて正確な傾斜度合いの検出を行うことができる。
【００４６】
更に、プリント基板５が垂直状態で設置され、傾斜スイッチ１４が垂直状態を検出する形状のものであっても、ホルダー１５の形状を傾斜スイッチ１４の設置状態を垂直とするような形状とすることで上記効果を得ることができる。
【００４７】
（実施例６）
図５は、本発明の第６の実施例における傾斜検出装置の外観図を示すものである。図中の符号が同一のものについては説明を省略する。
【００４８】
本実施例においてはホルダー１５には傾斜スイッチ１４からの突起を保持するべく開口部１９を設け、傾斜スイッチ１４とホルダー１５が密接するように構成されている。ホルダー１５は傾斜スイッチ１４の接点端子１６が貫通する開口部を有しており、ホルダー１５の傾斜スイッチ１４側の勘合面は、傾斜スイッチ１４の勘合面の形状に沿わせた形状とし、傾斜スイッチ１４とホルダー１５の勘合において検出角度に影響のない形状としている。また、ホルダー１５のプリント基板５側勘合面は、プリント基板５の製品内部での設置角度を解消するべくプリント基板５の製品内部での設置角度と同程度の角度傾斜させている。
【００４９】
傾斜スイッチ１４をホルダー１５に挿入する際は接点端子１６をホルダー１５の開口部へ挿入し、傾斜スイッチ１４の突起部をホルダー１５の開口部１９に引っかける。開口部１９は傾斜スイッチ１４の突起部を挿入するに充分な（おおむね突起部よりも１ｍｍ程度大きくする）開口面積とし、傾斜スイッチ１４の突起部との勘合部分は傾斜スイッチ１４から容易に脱却しない勘合面積としている（勘合部分はおおむね２ｍｍ四方以上としている）。
【００５０】
傾斜スイッチ１４は傾斜スイッチ１４の突起部とホルダー１５の開口部１９との勘合によって、ホルダー１５側に押しつけられ、また、接点端子１６によってホルダー１５から脱却することなく一体構成となる。傾斜スイッチ１４の接点端子１６はホルダー１５の下面（プリント基板５側）に突出し、傾斜スイッチ１４とホルダー１５が傾斜スイッチ１４の突起部とホルダー１５の開口部１９によって一体構成された傾斜検出装置としてプリント基板５に取り付けられ、半田付け等の固定によりプリント基板５に密接させる。
【００５１】
以上のように構成されたホルダー１５において、製品が地震や使用者の移動などでの外的要因により水平状態ではなくなったとき、傾斜スイッチ１４自体も製品の傾き度合いと同程度の傾き状態となるため、製品が傾斜したか否かの検出を行うことができる。
【００５２】
なお、プリント基板５が一方向のみならず二方向に傾いて設置されている場合でもホル
ダー１５の形状を傾斜スイッチ１４が水平を保つ角度に形成することで、傾斜スイッチ１４にて正確な傾斜度合いの検出を行うことができる。
【００５３】
更に、プリント基板５が垂直状態で設置され、傾斜スイッチ１４が垂直状態を検出する形状のものであっても、ホルダー１５の形状を傾斜スイッチ１４の設置状態を垂直とするような形状とすることで上記効果を得ることができる。
【００５４】
（実施例７、８）
図６は、本発明の第７、第８の実施例における傾斜検出装置の外観図を示すものである。図中の符号が同一のものについては説明を省略する。
【００５５】
本実施例においてはホルダー１５にはプリント基板５の下面を保持するべく下方突起部２０を設け、プリント基板５とホルダー１５が密接するように構成されている。ホルダー１５は傾斜スイッチ１４の接点端子１６が貫通する開口部を有しており、ホルダー１５の傾斜スイッチ１４側の勘合面は、傾斜スイッチ１４の勘合面の形状に沿わせた形状とし、傾斜スイッチ１４とホルダー１５の勘合において検出角度に影響のない形状としている。また、ホルダー１５のプリント基板５側勘合面は、プリント基板５の製品内部での設置角度を解消するべくプリント基板５の製品内部での設置角度と同程度の角度傾斜させている。
【００５６】
また、ホルダー１５の下方突起部２０とプリント基板５下面との勘合部分はプリント基板５の下面に沿った形状で、かつ、ホルダー１５がプリント基板５から容易に脱却しない勘合面積としている（勘合部分はおおむね２ｍｍ四方以上としている）。傾斜スイッチ１４の接点端子１６はホルダー１５の下面（プリント基板５側）に突出し、プリント基板５に取り付けられ、半田付け等の固定によりプリント基板５に密接させる。
【００５７】
以上のように構成されたホルダー１５において、製品が地震や使用者の移動などでの外的要因により水平状態ではなくなったとき、傾斜スイッチ１４自体も製品の傾き度合いと同程度の傾き状態となるため、製品が傾斜したか否かの検出を行うことができる。
【００５８】
なお、プリント基板５が一方向のみならず二方向に傾いて設置されている場合でもホルダー１５の形状を傾斜スイッチ１４が水平を保つ角度に形成することで、傾斜スイッチ１４にて正確な傾斜度合いの検出を行うことができる。
【００５９】
更に、プリント基板５が垂直状態で設置され、傾斜スイッチ１４が垂直状態を検出する形状のものであっても、ホルダー１５の形状を傾斜スイッチ１４の設置状態を垂直とするような形状とすることで上記効果を得ることができる。
【００６０】
本実施例ではホルダー１５をプリント基板５に保持する単一の下方突起部２０として記載しているが、複数の下方突起部であっても同様であることはいうまでもない。
【００６１】
（実施例９）
図７は、本発明の第９の実施例における傾斜検出装置の外観図を示すものである。図中の符号が同一のものについては説明を省略する。
【００６２】
本実施例においては、ホルダー１５の側面を保持する下方圧入部２１を設け、ホルダー１５とプリント基板５が密接するように構成されている。ホルダー１５は傾斜スイッチ１４の接点端子１６が貫通する開口部を有しており、ホルダー１５の傾斜スイッチ１４側の勘合面は、傾斜スイッチ１４の勘合面の形状に沿わせた形状とし、傾斜スイッチ１４とホルダー１５の勘合において検出角度に影響のない形状としている。また、ホルダー１５の
プリント基板５側勘合面は、プリント基板５の製品内部での設置角度を解消するべくプリント基板５の製品内部での設置角度と同程度の角度傾斜させている。
【００６３】
一般的にプリント基板の材質が紙フェノールの場合、金型でパンチングされたプリント基板孔径は、パンチング時に紙フェノールが柔らかいため押し出されて、中央部の孔径が細くなるいわゆる太鼓状の断面となる。ホルダー１５の下方圧入部２１の寸法はプリント基板５の開口部の側面とほぼ同程度としており、ホルダー１５の下方圧入部２１の剛性、及び、プリント基板５の開口部断面との摩擦でホルダー１５がプリント基板５に密接する。
【００６４】
傾斜スイッチ１４の接点端子１６はホルダー１５の下面（プリント基板５側）に突出し、傾斜スイッチ１４とホルダー１５が側面保持部１８によって一体構成された傾斜検出装置としてプリント基板５に取り付けられ、半田付け等の固定によりプリント基板５に密接させる。
【００６５】
以上のように構成されたホルダー１５において、製品が地震や使用者の移動などでの外的要因により水平状態ではなくなったとき、傾斜スイッチ１４自体も製品の傾き度合いと同程度の傾き状態となるため、製品が傾斜したか否かの検出を行うことができる。
【００６６】
なお、プリント基板５が一方向のみならず二方向に傾いて設置されている場合でもホルダー１５の形状を傾斜スイッチ１４が水平を保つ角度に形成することで、傾斜スイッチ１４にて正確な傾斜度合いの検出を行うことができる。
【００６７】
更に、プリント基板５が垂直状態で設置され、傾斜スイッチ１４が垂直状態を検出する形状のものであっても、ホルダー１５の形状を傾斜スイッチ１４の設置状態を垂直とするような形状とすることで上記効果を得ることができる。
【００６８】
【発明の効果】
以上のように、請求項１〜９に記載の本発明によれば、傾斜スイッチでの傾き度合いの検出角度をホルダーにて補正することで、汎用の傾斜スイッチ以外の検出角度を検出することができ、より使用状態に即した傾き状態の検出を行うことができる。
【００６９】
また、プリント基板の配置を水平や垂直としなくても傾斜スイッチで正確に傾斜度合いを検出できるため、プリント基板としての形状の最適化が図れ、製品の小型・軽量化という社会的要請に応えることができる。
【００７０】
更に、ホルダーに傾斜スイッチと密接せしめる突起を備えることや、ホルダーにプリント基板と密接せしめる突起を備えること、ホルダーに傾斜スイッチの側面を圧入し密接せしめる突起を備えることで、ホルダーと傾斜スイッチ、プリント基板を隙間なく接することができ、傾斜スイッチの検出角度の補正に際してホルダーと傾斜スイッチ間での嵌合ズレなどによる傾斜検出性能の低下を防止することができる。
【図面の簡単な説明】
【図１】  本発明の実施例１、２における傾斜検出装置の側面図
【図２】  同装置におけるプリント基板二方向傾斜時の外観斜視図
【図３】  本発明の実施例３、４における傾斜検出装置の側面図
【図４】  本発明の実施例５における傾斜検出装置の側面図
【図５】  本発明の実施例６、７における傾斜検出装置の側面図
【図６】  本発明の実施例８における傾斜検出装置の側面図
【図７】  本発明の実施例９における傾斜検出装置の側面図
【図８】  （ａ）従来のバネ圧式傾斜スイッチの通常使用状態の構成図
（ｂ）同スイッチの転倒状態の構成図
【図９】  従来の小電力傾斜スイッチの正面図
【図１０】  従来の他の小電力傾斜スイッチの正面図
【符号の説明】
５  プリント基板
１４  傾斜スイッチ
１５  ホルダー
１７  突起部
１８  側面保持部
１９  開口部
２０  下面突起部
２１  下面圧入部
【図１】
0004329222.tif 000002
【図２】
0004329222.tif 000003
【図３】
0004329222.tif 000004
【図４】
0004329222.tif 000005
【図５】
0004329222.tif 000006
【図６】
0004329222.tif 000007
【図７】
0004329222.tif 000008
【図８】
0004329222.tif 000009
【図９】
0004329222.tif 000010
【図１０】
0004329222.tif 000011